(57)【要約】【課題】マンション等の住宅において食器等を落としたとき等に発生する固体音等が、床基材から下階に伝わることを防ぎ、歩行感にも優れ、かつ長期にわたって防音性を維持することができる直貼り床材を提供することである。【解決手段】床材本体１の表面に化粧材層２を設け、その裏面にクッション材層を形成してなる直貼り床材において、該クッション材層を不織布３で形成するとともに、この不織布３を、主として水平方向に配列された水平方向繊維３１に、垂直方向に配列された垂直方向繊維３２を適宜混在させた状態で構成したことを特徴とする。上記垂直方向繊維３２が少なくとも２個の垂直足片３３１を一体的に具有する二股繊維３３で構成してもよい。【選択図】図１
2013234541.tif 000002
【特許請求の範囲】
【請求項１】
床材本体の表面に化粧材層を設け、その裏面にクッション材層を形成してなる直貼り床材において、該クッション材層を不織布で形成するとともに、この不織布を、主として水平方向に配列された水平方向繊維に、垂直方向に配列された垂直方向繊維を適宜混在させた状態で構成したことを特徴とする直貼り床材。
【請求項２】
上記垂直方向繊維が少なくとも２個の垂直足片を一体的に具有する二股繊維で構成された請求項１記載の直貼り床材。
【発明の詳細な説明】
【技術分野】
【０００１】
本願発明は床材に関する。さらに詳しくは、一般住宅、マンション等のフローリングに用いられる遮音性に優れた直貼り床材の構造に関するものである。
【背景技術】
【０００２】
近年、マンション等の集合住宅において、生活上発生する騒音を巡る問題が増えつつあり、壁を隔てた隣家、あるいは床を隔てた下階の住戸へ騒音を漏らさないように配慮することが求められている。上記騒音を遮音するためには、境の壁の厚さを大きくしたり、上階と下階との間の床部分を厚くしたりすることが最善の策であるが、コンクリートの躯体部分を重く、厚くする必要があり、建築費用が増大するという問題が生じる。
【０００３】
そこで、既存のマンションや一般住宅等においては、子供が走り回ったときや食器等を落としたとき等、建物の躯体部分である床基材に固体音が伝わり下階の住戸に騒音被害を与えないように、裏面にクッション材が積層された防音床材でフローリングすること普及している。
【０００４】
上記防音床材としては、例えば、特開平１―１５８１７０号公報に記載のように、基材の表面に表面材を積層し、基材の裏面には複数本の溝を設け、薄シートとクッション材とを積層するようにして、防音性能の向上と反り防止とが図られた防音床材が提案されている。
【０００５】
すなわち、上記公報第１図に断面図で記載されている防音床材は、本願図３に公知の防音床材Ｂとして示すように、合板等の基材５の表面に制振材６１を介して化粧シート等の表面材７が積層されるとともに、基材５の裏面には上方に向けて溝８が複数本設けられておりその裏面に薄シート６２を積層し、この薄シート６２の裏面に合成樹脂発泡体からなるクッション材９を積層して構成されている。
【０００６】
そして、クッション材９と制振材６１との作用により、階上の床面に食器等を落としたとき発生する固体音や椅子を引きずったときに生じる摩擦音等が階下に伝わることを防ぎ、かつ、この薄シート６２が複数の溝８が広がって反りが発生し、防音床材Ｂが変形することを防止する、とその効果が述べられている。
【０００７】
しかしながら、本願図３に示すように、上記合成樹脂発泡体からなるクッション材９は、その空気層によるクッション性ゆえにフワフワして沈み込むような感触となるため、防音床材Ｂを用いてフローリングした場合、裏面に積層されたクッション材９の影響によって必ずしも歩行感よく施工できるものとはいえない。また、長期間使用した場合、踏圧によってクッション性が減少し、防音効果が低下するという問題もある。
【先行技術文献】
【特許文献】
【０００８】
【特許文献１】特開平１−１５８１７０号公報
【発明の概要】
【発明が解決しようとする課題】
【０００９】
本願発明はこのような状況に鑑みてなされたものであり、その目的は、マンション等の住宅において子供が走り回ったときの足音や食器等を落としたときの固体音等が、建物の躯体部分である床基材から下階に伝わることを防ぎ、かつ歩行感にも優れた直貼り床材を
提供することである。
【課題を解決するための手段】
【００１０】
上記課題を解決するために、本願請求項１に記載の発明に係る直貼り床材は、床材本体の表面に化粧材層を設け、その裏面にクッション材層を形成してなる直貼り床材において、該クッション材層を不織布で形成するとともに、この不織布を、主として水平方向に配列された水平方向繊維に、垂直方向に配列された垂直方向繊維を適宜混在させた状態で構成したことを特徴とする。
【００１１】
本願請求項２に記載の発明に係る直貼り床材は、上記請求項１に記載の発明において、上記垂直方向繊維を少なくとも２個の垂直足片を一体的に具有する二股繊維で構成したことを特徴とする。
【００１２】
ここで上記不織布としては、湿式法、乾式法、スパンボンド法、メルトブロー法等の各種の方式でフリースを形成し、得られたフリースをサーマルボンド法等の各種の方法で結合したものをいう。
【００１３】
上記フリースの結合法としては、サーマルボンド法に加えてケミカルボンド法、ニードルパンチ法、スパンレース法（水流絡合法）、ステッチボンド法、スチームジエット法等、各種の方法をあげることができる。
【００１４】
上記不織布の原料としては繊維に加工できるものであればほとんどの物質を使用することが可能であり、また、複数の原料を組み合わせ、繊維長や太さなどの形状を調整して目的、用途に応じた機能を持たせることができる。
【００１５】
本願発明においては、上記不織布を、木綿等のセルロース系繊維、あるいはナイロン、ビニロン、ポリエステル、ポリオレフィン等の熱可塑性樹脂を繊維としたものからフリースを形成し、形成されたフリースをサーマルボンド法によって繊維どうしを部分的に結合して得られたものが好ましく用いられる。しかし、サーマルボンド法に限定されるものではなく、他の方法で繊維どうしを部分的に結合して得られたものでもよい。
【００１６】
ここで、本願発明における不織布においては、主として水平方向に配列された上記各種の材料から形成された水平方向線維に、垂直方向に配列された上記各種の材料から形成された垂直方向繊維が適宜混合した状態で存在する。
【００１７】
さらに、上記垂直方向繊維を少なくとも２個の垂直足片を一体的に具有する二股繊維で構成してもよい。すなわち、２個以上の複数の垂直足片から上記二股繊維を形成してもよい。
【発明の効果】
【００１８】
本願請求項１記載の発明に係る直貼り床材においては、床材本体の裏面にクッション材層を積層し、このクッション材層を不織布で形成するとともに、この不織布を、主として水平方向に配列された水平方向繊維に、垂直方向に配列された垂直方向繊維を適宜混在させているため、水平方向繊維と垂直方向繊維とで構成される比較的小さい多くの空隙に空気層が包含された状態になり、この空気層によって優れた防音効果を得ることができる。
【００１９】
さらに、直貼り床材に掛けられる踏圧等の荷重が垂直方向繊維によって支えられ、フワフワとした沈み込みが抑えられるため、適度のクッション性が保持されて歩行感のよい直貼り床材を得ることができる。
【００２０】
本願請求項２記載の発明に係る直貼り床材においては、上記垂直方向繊維を少なくとも２個の垂直足片を一体的に具有する二股繊維で構成することによって、これらの垂直足片が直貼り床材に掛けられる踏圧等の荷重に抵抗して垂直方向の剛性が大きくなり、補強材としても機能する。そして、優れた防音効果を発揮するとともに、長期の使用によっても不織布の空隙構造が安定して保持されるため、良好な歩行感、優れた防音効果を保つことができる。また、断熱床材としても使用することができる。
【図面の簡単な説明】
【００２１】
【図１】（ａ）本願発明に係る直貼り床材の構成を模式的に示す断面説明図である。（ｂ）上記直貼り床材のクッション材層として用いられた不織布の断面を拡大して示す断面説明図である。
【図２】上記不織布の他の実施例を示す部分斜視説明図である。
【図３】公知の防音床材を示す断面図である。
【発明を実施するための形態】
【００２２】
以下、本願発明に係る直貼り床材の実施形態を、図面を参照して詳細に説明する。図１（ａ）は、上記実施形態にかかる直貼り床材Ａの構成を模式的に示す断面説明図である。図１（ｂ）は直貼り床材Ａの裏面に形成されたクッション材層３を模式的に示す断面説明図である。
【００２３】
図１（ａ）に示すように、上記直貼り床材Ａは床材本体１の表面に化粧材層２を設けるとともに、床材本体１の裏面にクッション材層３として不織布３を積層して形成されている。また、床材本体１の裏面には下方に開口する複数本の溝部４が刻設され、これら複数本の溝部４はそれぞれ内包する空気層が化粧材層２から伝わってくる騒音を遮音するため、防音効果を発揮するとともに、断熱材層としても機能する。
【００２４】
上記床材本体１の左右側面には、実結合凸部１１と実結合凹部１２が設けられ、隣接する直貼り床材Ａはフローリング施工時に、それぞれの実結合凸部１１を実結合凹部１２に嵌合し、すべての直貼り床材Ａどうしはしっかりと実結合して床面を形成する。
【００２５】
図１（ｂ）は、上記クッション材層３として用いられた不織布３の断面を拡大して示す断面説明図である。図１（ｂ）に示すように、上記不織布３は、主として水平方向に配列された水平方向繊維３１に垂直方向に配列された垂直方向繊維３２が適宜混在した状態で構成される。
【００２６】
ここで、上記不織布３としては、例えば、水平方向繊維３１としてポリエチレン系繊維を用い、垂直方向繊維３２としてポリエステル（ＰＥＴ）系繊維を用いてフリースを形成し、徐々に加熱して融点の低いポリエチレン系繊維が軟化した時点で水平方向繊維３１と垂直方向繊維３２とを部分的にサーマルボンドさせる。その後冷却し、水平方向繊維３１と垂直方向繊維３２とが絡合した所望の不織布３を得ることができる。
【００２７】
図２は、上記した不織布３の他の実施例を示す部分斜視説明図である。図２に示すように、本実施例においては、図１（ｂ）に示した垂直方向繊維３２に替えて２個の垂直足片３３１を一体的に具有する二股繊維３３が水平方向繊維３１に略垂直に適宜混在している。
【００２８】
ここで、上記二股繊維３３としては、水平方向繊維３１として用いられたポリエチレン系繊維、あるいは垂直方向繊維３２として用いられたポリエステル（ＰＥＴ）系繊維の何れかが用いられる。また、荷重たわみ強度の大きい他の材料からなる繊維を用いてもよい。
【００２９】
このように、不織布３の縦方向に二股繊維３３を混在させることによって包含する空気の量を多くすることができ、直貼り床材Ａの上方からの荷重、すなわち踏圧に対する抵抗力を増すことができる。そのため、空気層が防音効果を発揮するとともに、フワフワとした沈み込みを抑えることが可能となり、歩行感のよい直貼り床材Ａを得ることができる。
【００３０】
さらに、上記二股繊維３３は不織布３全体の強度の補強材としても機能し、長期の使用によっても不織布の空隙構造が安定して保持されるため、良好な歩行感が持続し、かつ優れた防音効果を維持することができる。
【００３１】
なお、上記二股繊維３３は、不織布３の製造工程中すなわち水平方向繊維３１からなるフリースに二股繊維３３を混在させてもよく、あるいは水平方向繊維３１からなるフリースを形成した後に縫い込む等の方法によって混在させてもよい。さらに、二股繊維３３を構成する垂直足片３３１は、２本のみならず３本あるいは４本としてもよい。
【００３２】
上記のようにして、床材本体１の表面に化粧材層２を設け、床材本体１の裏面にクッション材層３として不織布３が積層された本願発明にかかる直貼り床材Ａは、マンション等のコンクリートの床面に接着剤で直貼り施工される。
【００３３】
直貼り施工は、コンクリート面に公知のフローリング用接着剤、例えばホルマリン、トルエン、キシレン等の人体に有害な化学物質を放散することのない無溶剤型の一液性の接着剤や、常温湿気硬化型の接着剤を塗布し、所定の時間内に直貼り床材Ａを貼着する。
【００３４】
ここで、図１（ａ）に示す実結合凸部１１を実結合凹部１２に嵌合させて隣接する直貼り床材Ａの側部どうしをしっかりと結合させ、貼着して敷き詰める。その後、上記不織布３がコンクリート面にしっかりと接着するように所定時間放置してフローリング施工を完了させる。
【００３５】
上記のようにして本願発明の直貼り床材Ａを直貼りすることにより、外観性、防音性に優れ、かつ歩行感のよいフローリングを施工することができる。このように、本願発明の直貼り床材Ａを用いることによって、階上の住戸の騒音が階下に伝わることを防ぎ、集合住宅等における騒音問題の解消に寄与することができる。
【００３６】
さらに、本願発明の直貼り床材を防音目的のみならず、空気層が断熱効果をも発揮するため、断熱床材としても用いることができる。このように本願発明は設計変更自在であり、特許請求の範囲を逸脱しない限り、本願発明の技術的範囲に含まれる。
【符号の説明】
【００３７】
Ａ      本願発明に係る直貼り床材
Ｂ      公知の防音床材
１      床材本体
１１    実結合凸部
１２    実結合凹部
２      化粧材層
３      クッション材層（不織布）
３１    水平方向繊維
３２    垂直方向繊維
３３    二股繊維
３３１  垂直足片
４      溝部
５      公知の直貼り床材における合板等の基材
６１    公知の直貼り床材における制振材
６２    公知の直貼り床材における薄シート
７      公知の直貼り床材における表面材
８      公知の直貼り床材における溝
９      公知の直貼り床材におけるクッション材
【図１】
2013234541.tif 000003
【図２】
2013234541.tif 000004
【図３】
2013234541.tif 000005